(57)【特許請求の範囲】
【請求項１】
内燃機関における吸気制御装置であって、複数のスロットルボデーと、単一の空気分配器を備えるものにおいて、絞り弁によって上流側の吸気通路と下流側の吸気通路５１Ａとに区分される吸気通路５１と、
上流側の吸気通路と下流側の吸気通路５１Ａとを絞り弁を迂回して連絡する同調空気通路５２と、
同調空気通路５２を流れる空気量を調整、制御する調整スクリュー５３と、を備えるスロットルボデー５０が複数配置され、
一方、単一の空気分配器Ａは、
制御弁体４５を軸方向に移動自在に支持する摺動弁室４２と、
摺動弁室４２の底部４２Ｂと制御弁体４５の前記底部に臨む下面４５Ｃとによって形成される空気室４７内に開口する補助空気導入路４４と、
摺動弁室４２の側部２Ａに穿設され、前記制御弁体によって空気室４７内への開口が制御される前記スロットルボデーと同数の制御孔４３Ａ，４３Ｂ，…と、
制御弁体４５を温度変化に応じて摺動弁室４２内において軸方向に移動させ、制御孔４３Ａ，４３Ｂ，…の空気室４７内への開口を制御する感熱応動体Ｈと、
制御弁体４５に対向配置され、制御弁体４５による制御孔４３Ａ，４３Ｂ，…の開口を制御する調整杆４８と、
を備え、
前記単一の空気分配器の各制御孔４３Ａ，４３Ｂ，…を、各スロットルボデー５０の絞り弁より下流側の吸気通路５１Ａに分配路５４Ａ，５４Ｂ，…をもって配管接続したことを特徴とする内燃機関における吸気制御装置。
【発明の詳細な説明】
【０００１】
【産業上の利用分野】
本発明は内燃機関へ供給される空気量を調整、制御する吸気制御装置に関し、そのうち特に、内部を吸気通路が貫通して穿設されるスロットルボデーが複数配置される多連スロットルボデーであり、且つ絞り弁のアイドリング開度及びファーストアイドリング開度、領域における空気量の調整、制御に関する。
【０００２】
【従来の技術】
従来の内燃機関における吸気制御装置は図４に示される。
１は内部を吸気通路２が貫通して穿設されたスロットルボデーであり、吸気通路２は図示されぬ絞り弁によって上流側の吸気通路と下流側の吸気通路２Ａとに区分される。
この上流側の吸気通路は図示せぬエアクリーナに接続され、下流側の吸気通路２Ａは図示されぬ機関へと接続される。
３は図示されぬ絞り弁より上流側の吸気通路と、絞り弁より下流側の吸気通路２Ａとを、絞り弁を迂回して連絡するスロットルボデー１に形成された補助空気通路であり、補助空気通路３には上方に開口する摺動弁室４が形成される。
前記補助空気通路は摺動弁室４によって、絞り弁より下流側の吸気通路２Ａに連絡される下流側の補助空気通路３Ａと、絞り弁より上流側の吸気通路に連絡される上流側の補助空気通路３Ｂに区分される。
より具体的には、下流側の補助空気通路３Ａの上流側は摺動弁室の底部４Ａに開口し、その下流側は絞り弁より下流側の吸気通路２Ａに開口する。
又、上流側の補助空気通路３Ｂの上流側は絞り弁より上流側の吸気通路に開口し、その下流側は、摺動弁室４の側部４Ｂに穿設される制御孔５に接続され、制御孔５を介して摺動弁室４内に開口する。
上流、下流とは空気の流れ方向においていう。
而して、絞り弁より上流側の吸気通路内にある空気は、上流側の補助空気通路３Ｂ、制御孔５、摺動弁室４、下流側の補助空気通路３Ａ、を介して絞り弁より下流側の吸気通路２Ａ内へと流入する。この補助空気通路３を流れる空気は絞り弁を迂回して流れる。
６は摺動弁室４内に摺動自在に配置された円筒状の制御弁体であり、制御弁体６には上方に向かってのびる操作杆６Ａが一体形成されるとともにその上端部にはオネジ６Ｂが形成される。
そして、制御弁体６は操作杆６Ａを図において上下方向に操作することによって制御孔５の摺動弁室４内への開口が制御される。すなわち制御弁体６が下方向に移動することによって制御孔５の開口は減少され、上方向に移動することによって制御孔５の開口は増加する。
以上の構成をなすスロットルボデー１が本例では３個配置された。
【０００３】
Ｈは温度変化に応じて作動杆１０Ａを含む作動体１０をストローク変換する感熱応動体であり、以下よりなる。
８は内部にパラフィン、オレフィン、等の熱膨縮材料が密閉され、該熱膨縮材料の膨張、収縮による体積変化が出力杆８Ａのストローク変換として出力されるサーモワックス部材であり、このサーモワックス部材８はケース９内に収納配置される。
１０は、ケース９内に移動自在に配置されるカップ状の作動体であって、作動体１０はスプリング１１によって上方に向けて押圧され、これによると作動体１０のカップ底部１０Ｂは出力杆８Ａの下端に弾性的に押圧されて当接保持される。又、作動体１０と一体的に形成され、カップ底部１０Ｂより下方に向かって作動杆１０Ａが延び、この作動杆１０Ａはケース９の底部より下方に向かって突出して配置され、その下端にオネジ１０Ｃが形成される。この感熱応動体Ｈはスロットルボデー１等の固定部Ｋにネジ等によって固定配置される。
【０００４】
１２は図４において右方のスロットルボデー１Ａに臨んで配置される第１操作レバーであり、この第１操作レバー１２は回転自在に支持される第１軸１３に取着される。
そして、第１操作レバー１２の左端には、操作杆挿入孔１２Ａが穿設されるとともに該操作杆挿入孔１２Ａ内に操作杆６Ａの上端部が摺動自在に配置され、さらにこの第１操作レバー１２の左端は操作杆６Ａのオネジ６Ｂの上端に螺着されたナットＮとスプリング１４によって挟持される。
又、第１軸１３と操作杆挿入孔１２Ａとの間の第１操作レバー１２の中間部には作動杆挿入孔１２Ｂが穿設されるとともにこの作動杆挿入孔１２Ｂ内には感熱応動体Ｈの作動杆１０Ａが挿入配置される。
そして、第１操作レバー１２の作動杆挿入孔１２Ｂより下方に突出する作動杆１０Ａの下端のオネジ１０ＣにはナットＮが螺着され、第１操作レバー１２の中間部は、ナットＮとそれに対向配置されるスプリング１５によって挟持される。
更に又、第１軸１３より右方に位置する第１操作レバー１２の右端の上面に臨んで固定部Ｋに螺着された調整スクリュー１６が対向配置される。
この調整スクリュー１６によると第１操作レバー１２の反時計方向の回転が規制される。
【０００５】
２０は図４において中間のスロットルボデー１Ｂに臨んで配置される第２操作レバーであり、この第２操作レバー２０の右端は、回転自在に支持される第２軸２１に取着される。
そして、第２操作レバー２０の左端には、操作杆挿入孔２０Ａが穿設されるとともに該操作杆挿入孔２０Ａ内に操作杆６Ａの上端部が摺動自在に配置され、さらにこの第２操作レバー２０の左端は、操作杆６Ａのオネジ６Ｂの上端に螺着されたナットＮとスプリング２２によって挟持される。
【０００６】
３０は、図４において左方のスロットルボデー１Ｃに臨んで配置される第３操作レバーであり、この第３操作レバー３０の右端は、回転自在に支持される第３軸３１に取着される。
そして、第３操作レバー３０の左端には、操作杆挿入孔３０Ａが穿設されるとともに該操作杆挿入孔３０Ａ内に操作杆６Ａの上端部が摺動自在に配置され、さらにこの第３操作レバー３０の左端は、操作杆６Ａのオネジ６Ｂの上端に螺着されたナットＮとスプリング３２によって挟持される。
そして、第１操作レバー１２と第２操作レバー２０と第３操作レバー３０とはリンクＬによって同期的に回転するよう連結される。
【０００７】
かかる従来の吸気制御装置によると、以下の作用をなす。
まず、右方のスロットルボデー１Ａについて説明する。
機関の雰囲気温度の低い状態において、感熱応動体Ｈのサーモワックス部材８内の熱膨縮材料はその体積が収縮するもので、これによると出力杆８Ａの突出寸法Ｄが小さく保持される。
一方、作動体１０はスプリング１１によって上方に付勢されていることから作動体１０のカップ底部１０Ｂは出力杆８Ａの下端に当接するよう上方位置に移動して作動体１０の位置が決定される。この作動体１０の上方移動は作動杆１０Ａの端部に配置されたナットＮを介して第１操作レバー１２に伝達され、第１操作レバー１２は第１軸１３を中心に作動体１０の上方向移動に応じて時計方向へ回転する。
尚、かかる第１操作レバー１２の時計方向回転時において調整スクリュー１６はその回転をさまたげることがない。
【０００８】
そして、前記第１操作レバー１２の時計方向の回転によると、制御弁体６の操作杆６ＡがナットＮとスプリング１４によって挟持されていることから、上方向へ引上げられるもので、これによって制御弁体６は制御孔５を大きく開放する。
以上によると、上流側の補助空気通路３Ｂから制御孔５の大開放に応じた補助空気が摺動弁室４、下流側の補助空気通路３Ａを介して下流側の吸気通路２Ａ内に供給され、これによって低温始動に適した増量された空気を機関に向けて供給できる。
【０００９】
次いで、前記温度状態に比較して機関雰囲気温度が上昇すると、サーモワックス部材８内の熱膨縮材料は膨張し、これによって出力杆８Ａの突寸Ｄは増加する。
これによると、作動体１０はスプリング１１のバネ力に抗して出力杆８Ａの突寸の増加に応じて下方向へ変位するもので、作動杆１０Ａのスプリング１５とナットＮによって挟持される第１操作レバー１２は出力杆８Ａの突寸の増加に応じて反時計方向へ回転する。
そして、この第１操作レバー１２の反時計方向への回転は、スプリング１４を介して制御弁体６の操作杆６Ａに伝達されて制御弁体６を下方向へ移動させるもので、制御弁体６は前記制御孔５の大開放状態よりその開口を減少させる。
以上によると、摺動弁室４、下流側の補助空気通路３Ａを介して下流側の吸気通路２Ａ内に供給される空気量を前記状態より減少でき、これによって低温始動後における機関の暖機運転に見合った空気を機関に向けて供給できる。
【００１０】
次いで、前記温度状態に比較して機関雰囲気温度が更に上昇して機関の暖機運転が終了すると、サーモワックス部材８内の熱膨縮材料は更に膨張し、これによって出力杆８Ａの突寸Ｄは更に増加する。
これによると、作動体１０の作動杆１０Ａは更に下方向に移動し、第１操作レバー１２もまた更に反時計方向へ移動する。
そして、第１操作レバー１２の反時計方向の回転は第１操作レバー１２の右端が調整スクリュー１６に当接した状態において停止するもので、この第１操作レバー１２の状態が、制御弁体６による制御孔５のもっとも小開口状態となる。
従って、小開口状態にある制御孔５から機関に向けて、暖機運転完了後における機関のアイドリング運転に見合った空気を機関に向けて供給できる。
【００１１】
又、第１操作レバー１２に対する調整は以下によって行なわれる。
第１操作レバー１２の位置調整は、調整スクリュー１６を螺動することによって行われる。
すなわち、調整スクリュー１６の突寸を大にすると第１操作レバー１２を時計方向へ回転制御でき、突寸を小とすることによって第１操作レバー１２を反時計方向へ回転制御できる。
又、第１操作レバー１２と作動体１０の作動杆１０Ａとの位置関係は、作動杆１０Ａに螺着されるナットＮを螺動することによって行なわれる。
更に第１操作レバー１２と、制御弁体６との位置関係は、制御弁体６の操作杆６Ａに螺着されるナットＮを螺動することによって行なわれる。
【００１２】
又、中間のスロットルボデー１Ｂの制御弁体６は第２操作レバー２０に操作杆６Ａに螺着されるナットＮによって連結され、更に第２操作レバー２０はリンクＬ１によって第１操作レバー１２に同期的に連結される。
【００１３】
更に左方のスロットルボデー１Ｃの制御弁体６は第３操作レバー３０に操作杆６Ａに螺着されるナットＮによって連結され、更に第３操作レバー３０はリンクＬ２によって第１操作レバー１２に同期的に連結される。
【００１４】
以上のように、中間のスロットルボデー１Ｂの第２操作レバー２０がリンクＬ１によって第１操作レバー１２に連結され、左方のスロットルボデー１Ｃの第３操作レバー３０がリンクＬ２によって第２操作レバー１２に連結されることによると、第２操作レバー２０、第３操作レバー３０は第１操作レバー１２と同期的に回転するもので、これによって各スロットルボデーに配置される制御弁体６を同期的に移動制御できる。
【００１５】
【発明が解決しようとする課題】
かかる従来の吸気制御装置によると以下の問題点を有する。
各スロットルボデーに設けられる制御弁体はリンクによって連結されるもので、各スロットルボデーの取りつけピッチが変わった際、リンクを新規に製作する必要があり、汎用性が無い。
又、各スロットルボデーの周囲には、リンク、操作レバーを収容する空間を必要とするものでスロットルボデーの機関を含む車輛への配置の自由度が低い、特に自動二輪車の如く、収納空間が限られるものにあっては好ましいものでない。
又、各スロットルボデーには、操作レバー、操作レバーを回転可能に支持する軸、操作レバーを制御弁体の操作杆に挟持する為のナット及びスプリング、を必要とすることから部品点数及び組みつけ工数が増加し、製造コストの低減を達成できない。
又、前述の如く、部品点数が多いことは各部品の製作バラツキをひろい易く、各スロットルボデーにおける同調の調整が容易でない。
更に、各スロットルボデーに備えられる制御弁体は摺動弁室内において微少間隙をもって摺動配置される必要があることから制御弁体及び摺動弁室は高精度に形成される必要があり、部品の製造コストの低減を達成できない。
【００１６】
本発明になる吸気制御装置は、かかる不具合に鑑み成されたもので、その目的とするところは、スロットルボデーの取りつけピッチの変更に対して極めて容易にして安価に対応できるとともに車輛への取りつけ自由度の高い吸気制御装置を提供すること。
及び部品点数、組みつけ工数を削減でき、且つ各スロットルボデーに対する同調を容易に行なうことができ、且つ正確なる同調を行なうことのできる吸気制御装置を提供することを目的とする。
【００１７】
【課題を達成するための手段】
本発明になる内燃機関における吸気制御装置は、前記目的達成の為に、内燃機関における吸気制御装置であって、複数のスロットルボデーと、単一の空気分配器を備えるものにおいて、絞り弁によって上流側の吸気通路と下流側の吸気通路とに区分される吸気通路と、
上流側の吸気通路と下流側の吸気通路とを絞り弁を迂回して連絡する同調空気通路と、
同調空気通路を流れる空気量を調整、制御する調整スクリューと、を備えるスロットルボデーが複数配置され、
一方、単一の空気分配器は、
制御弁体を軸方向に移動自在に支持する摺動弁室と、
摺動弁室の底部と制御弁体の前記底部に臨む下面とによって形成される空気室内に開口する補助空気導入路と、
摺動弁室の側部に穿設され、前記制御弁体によって空気室内への開口が制御される前記スロットルボデーと同数の制御孔と、
制御弁体を温度変化に応じて摺動弁室内において軸方向に移動させ、制御孔の空気室内への開口を制御する感熱応動体と、
制御弁体に対向配置され、制御弁体による制御孔の開口を制御する調整杆と、
を備え、
前記単一の空気分配器の各制御孔を、各スロットルボデーの絞り弁より下流側の吸気通路に分配路をもって配管接続したことを特徴とする。
【００１８】
【作用】
機関雰囲気温度の常温状態、機関暖機運転終了時、において、空気分配器の制御弁体の下面は調整杆に当接して支持され、複数の制御孔の開口は制御弁体によって制御される。
各スロットルボデーの絞り弁より下流側の吸気通路には、制御孔の開口によって制御される第１空気が分配器をもって供給されるとともに同調空気通路を介して第２空気が供給される。
従って各スロットルボデーの絞り弁より下流側の吸気通路には、第１空気と第２空気との合計された空気が供給される。
機関の雰囲気温度が低下すると、制御弁体は感熱応動体と同期して変位し、各制御孔の開口を温度低下に応じて増加する。
従って各スロットルボデーの絞り弁より下流側の吸気通路には分配路を介して増量された第１空気を供給でき、もって機関への空気量を増量できる。
又、各制御孔の開口は調整杆を螺動することによって調整され、これによって各分配路を流れる第１空気の最低流量を調整できる。
更に同調空気通路を流れる第２空気の量は、調整スクリューを螺動することによって調整できる。
前記調整杆による制御孔の調整、調整スクリューによる同調空気通路の調整、によって、機関雰囲気温度に最適な空気を自動的に各スロットルボデーを介して機関へ供給できる。
【００１９】
【実施例】
以下、本発明になる内燃機関における吸気制御装置の一実施例を図により説明する。
図１は単一の空気分配器Ａの縦断面図、図２は図１のＸ−Ｘ線における横断面図、である。
尚、図４と同一構造部分については同一符号を使用する。
４０はサーモワックス部材８を備える感熱応動体Ｈ及び作動体１０を収納する下方が開口した上側ケースであり、作動体１０は、スプリング１１によって上方へ付勢され、これによって作動体１０の底部１０Ｂはサーモワックス部材８の出力杆８Ａの下端に当接配置される。
尚、４０Ａは上側ケース４０に形成された冷却水通路であり、機関の冷却水が導入され、サーモワックス部材８に機関温度に応じて温度を付与する。
又、この冷却水通路４０ＡにかえてＰＴＣヒーターをもってサーモワックス部材８に対する温度制御を行ってもよい。
４１は円形孔をなす摺動弁室４２が上方に向かって開口する下側ケースであり、上側ケース４０の下端と下側ケース４１の上端とが当接配置され、摺動弁室４２の上方開口は上側ケース４０の下方開口に臨んで配置される。
又、摺動弁室４２の側部４２Ａには、複数の制御孔４３Ａ，４３Ｂ，４３Ｃが穿設されて開口するもので、各制御孔はそれぞれ独立して形成される。
又、本実施例にあっては３個のスロットルボデーに使用されることから制御孔は３個形成された。
更に摺動弁室４２の底部４２Ｂの近傍には、補助空気導入路４４が開口するもので、この補助空気導入路４４は制御孔４３Ａ，…より下方位置に開口する。
４５は摺動弁室４２内に摺動自在に配置される制御弁体であり、制御弁体４５が軸方向に移動することによって制御孔４３Ａ，…が開閉制御される。
そして、前記制御弁体の中心に穿設される作動杆挿入孔４５Ａ内には、作動体１０の底部１０Ｂより下方に向かって突出する作動杆１０Ａが挿入配置され、更にこの制御弁体４５は作動杆１０Ａの下端に螺着されるナットＮとスプリング４６によって挟持される。
前記スプリング４６は、その一端が作動体１０の底部１０Ｂに係止され、他端は制御弁体４５の上面４５Ｂに係止される。
従って、制御弁体４５と作動体１０とは一体的に同期して移動することになる。
又、前記によって摺動弁室４２に制御弁体４５が配置されることによって、制御弁室４２には、摺動弁室４２の底部４２Ｂと制御弁体４５の下面４５Ｃとによって空気室４７が形成され、補助空気導入路４４、制御孔４３Ａ，４３Ｂ，４３Ｃはこの空気室４７に開口する。
４８は、下側ケース４１に螺着され、その先端が制御弁体４５の下面４５Ｃに当接配置される調整杆であり、調整杆４８を上方に向けて移動することによって制御孔４３Ａ，…の開口を増加側に調整でき、一方調整杆４８を下方に向けて移動することによって制御孔４０Ａ，…の開口を減少側に調整できる。
【００２０】
図３に示される如く５０は内部を吸気通路５１が貫通して穿設されたスロットルボデーであり、吸気通路５１を開閉する絞り弁（図示せず）より上流側の吸気通路と絞り弁より下流側の吸気通路５１Ａとは同調空気通路５２によって絞り弁を迂回して接続される。
前記同調空気通路にはシート部５２Ａが形成され、このシート部５２Ａの開口はスロットルボデー５０に螺着されたテーパー部５３Ａを備えた調整スクリュー５３によって制御される。
又、同調空気通路５２はシート部５２Ａによって例えば絞り弁より上流側の吸気通路に連なる上流側の同調空気通路５２Ｂと絞り弁より下流側の吸気通路５１Ａに連なる下流側の同調空気通路５２Ｃとに区分される。
【００２１】
以上よりなるスロットルボデー５０は、本例において３個用意され、各スロットルボデーが吸気管を介して機関へ接続される。
５０Ａは、図３において右方のスロットルボデー、５０Ｂは中間のスロットルボデー、５０Ｃは左方のスロットルボデーである。
そして、空気分配器Ａの制御孔４３Ａは分配路５４Ａを介して左方のスロットルボデー５０Ｃの絞り弁より下流側の吸気通路５１Ａに連絡され、制御孔４３Ｂは分配路５４Ｂを介して右方のスロットルボデー５０Ａの絞り弁より下流側の吸気通路５１Ａに連絡され、更に制御孔４３Ｃは分配路５４Ｃを介して中間のスロットルボデー５０Ｂの絞り弁より下流側の吸気通路５１Ａに連絡される。
【００２２】
次にその作用について説明する。
まず、機関雰囲気温度の常温度状態（例えば２５℃）あるいは始動後における暖機運転の終了状態について説明する。
かかる温度状態において、空気分配器Ａ内の感熱応動体Ｈのサーモワックス部材８の容積に応じて出力杆８Ａの突寸が大きく決定され、作動体１０の軸方向位置は出力杆８Ａの下端に作動体１０の底部１０Ｂが当接して位置決めされる。これはスプリング１１のバネ力をスプリング４６のバネ力より強く設定されていることによる。一方、制御弁体４５は作動杆挿入孔４５Ａ内に作動杆１０Ａが挿入配置され、ナットＮとスプリング４６にて作動杆１０Ａの端部に挟持される。
以上によると、制御弁体４５は感熱応動体Ｈの出力杆８Ａの大なる突寸法に応じて大きく下方へ移動しようとするものであるが、制御弁体４５の下方移動は、制御弁体４５の下面４５Ｃが調整杆４８の上端に当接して規制される。
いいかえると、前記温度状態（常温、暖機運転の完了）において制御弁体４５の位置は調整杆４８によって制御される。
従って空気室４７内に臨む制御孔４３Ａ，４３Ｂ，４３Ｃの開口面積は調整杆４８によって制御される制御弁体４５によって決定されることになる。
尚、制御弁体４５の下面４５Ｃが調整杆４８の上端に当接した後に、更に作動体１０が下方に移動するような場合、作動杆１０Ａは制御弁体４５の作動杆挿入孔４５Ａ内を摺動して下方へ移動するので制御弁体４５が破壊されることがない。
又、前記調整杆４８は螺動できるもので、調整杆４８を上方へ移動することによって制御弁体４５による制御孔４３Ａ，…の開口面積を増加でき、調整杆４８を下方へ移動することによって制御孔４３Ａ，…の開口面積を減少できる。
そして、補助空気導入路４４から空気室４７内へ導入される空気は、制御孔４３Ａの開口によってその空気量が制御され、分配路５４Ａを介して第１空気が左方のスロットルボデー５０Ｃの絞り弁より下流側の吸気通路５１Ａ内へと供給される。
又空気室４７内の空気は、制御孔４３Ｂの開口によってその空気量が制御され、分配路５４Ｂを介して第１空気が右方のスロットルボデー５０Ａの絞り弁より下流側の吸気通路５１Ａ内へと供給される。
更に、空気室４７内の空気は、制御孔４３Ｃの開口によってその空気量が制御され、分配路５４Ｃを介して第１空気が中間のスロットルボデー５０Ｂの絞り弁より下流側の吸気通路５１Ａ内へと供給される。
そして、前記各制御孔の孔形状及び摺動弁室４２の側部４２Ａへの開口位置を同一としたので各制御孔４３Ａ，４３Ｂ，４３Ｃから各分配路５４Ａ，５４Ｂ，５４Ｃ内へ供給される第１の空気の量は同一とすることができる。
【００２３】
一方、各スロットルボデー５０Ａ，５０Ｂ，５０Ｃにあっては、調整スクリュー５３によって適正に調整、制御された第２空気が各同調空気通路５２を介して各スロットルボデーの絞り弁より下流側の吸気通路５１Ａ内へと供給される。
【００２４】
以上によると、機関雰囲気温度の常温度状態、暖機運転の終了状態において、各スロットルボデー５０Ａ，５０Ｂ，５０Ｃの絞り弁より下流側の吸気通路５１Ａ内には、各制御孔４３Ａ，４３Ｂ，４３Ｃを介して各分配路５４Ａ，５４Ｂ，５４Ｃから供給される第１空気と各同調空気通路５２から供給される第２空気との合計された空気が供給され、これによって機関雰囲気温度の常温度状態及び暖機運転の終了状態における機関のアイドリング運転を行なうことができる。
【００２５】
尚、各スロットルボデー５０Ａ，５０Ｂ，５０Ｃにおけるアイドリング空気量の微調整は各調整スクリュー５３を螺動することによって行なわれる。
又、かかるアイドリング運転時におけるアイドリング空気量の内、第１空気と第２空気との供給負担割合は適宜設定されればよい。
【００２６】
次に機関の雰囲気温度の低温時における機関始動時の空気制御について説明する。
かかる温度状態において、感熱応動体Ｈのサーモワックス部材８の容積は収縮するもので、出力杆８Ａはその容積の減少に応じて突寸Ｄが小となる。
これによると、作動体１０はスプリング１１のバネ力によって、作動体１０の底部１０Ｂが出力杆８Ａの下端に当接するよう前記常温状態に比較して上方へ移動するもので、この作動体１０の上方移動によると、スプリング４６とナットＮによって挟持される制御弁体４５もまた作動体１０と同期して出力杆８Ａの突寸Ｄの減少分に相当して上方へ移動する。
以上によると、制御弁体４５によって制御される制御孔４３Ａ，…の開口面積は増加されるもので、前記制御孔４３Ａの増加された開口面積に応じ、空気室４７から各制御孔４３Ａ，４３Ｂ，４３Ｃ及び各分配路５４Ａ，５４Ｂ，５４Ｃを介して各スロットルボデー５０Ａ，５０Ｂ，５０Ｃの絞り弁より下流側の吸気通路５１Ａ内へ供給される、第１空気の量を増量できる。
従って、各スロットルボデーの絞り弁より下流側の吸気通路５１Ａには、各分配路を介して供給される増量された第１空気と、各同調空気通路から供給される第２空気との合計された空気が供給されるもので、常温度状態に比較して増量された空気によってかかる低温時における機関の始動を確実に行なうことができる。
【００２７】
次いで、前記低温時における始動後の機関暖機運転について説明すると、暖機運転の継続によって機関は徐々に暖められるもので、この機関の温度上昇は例えば冷却水通路４０Ａ内を流れる冷却水によって感熱応動体Ｈに付与される。
そして前記によって感熱応動体Ｈが暖められることによると、サーモワックス部材８は温度上昇に伴って徐々に膨張するもので、出力杆８Ａの突寸Ｄは前記膨張に応じて増加する。
以上によると、作動杆１０Ａを含む作動体１０は前記出力杆８Ａの突寸Ｄの増加に応じ、スプリング１１のバネ力に抗して同期的に下方へ移動するもので、スプリング４６とナットＮとによって作動杆１０Ａに挟持される制御弁体４５もまた同期的に下方へ移動し、制御弁体４５は、制御孔４３Ａ，４３Ｂ，４３Ｃの開口を減少させる。
従って、制御孔４３Ａ，４３Ｂ，４３Ｃを介して各分配路５４Ａ，５４Ｂ，５４Ｃへ供給される第１空気の量を機関の暖機運転の継続に伴う機関の温度上昇に応じ徐々に減少でき、もって良好なる機関の暖機運転を実施できる。
【００２８】
そして暖機運転が終了して機関温度が充分に暖められると、出力杆８Ａの突寸Ｄは大きく突出し、制御弁体４５は、その下面４５Ｃが調整杆４８の先端に当接した状態で制御弁体４５の下方向移動が阻止される。
そして、上記制御弁体４５の位置における制御孔４３Ａ，４３Ｂ，４３Ｃの開口によって暖機運転終了後における第１空気の量が決定され、この第１空気と同調空気通路５２を流れる第２空気とによって暖機運転終了後における機関のアイドリング空気量が決定される。かかるアイドリング空気量は常温状態におけるアイドリング空気量でもある。
尚、感熱応動体Ｈに作用する熱が更に上昇すると、出力杆８Ａの突寸Ｄが更に増加し、作動体１０は制御弁体４５を更に下方向へ移動させようとするが、この移動は調整杆４８によって阻止され、このとき作動体１０の作動杆１０Ａはスプリング４６のバネ力に抗し、作動杆挿入孔４５Ａ内を下方向へ移動する。
従って制御弁体４５に過大な押圧力が作用し、制御弁体４５、調整杆４８が変形したり、破壊されることがない。
【００２９】
尚、分配路の下流側を直接的に絞り弁より下流側の吸気通路５１Ａに開口させることなく、下流側の同調空気通路５２Ｃに開口させてもよい。
【００３０】
【発明の効果】
以上の如く、本発明になる吸気制御装置によると、各スロットルボデーにおけるアイドリング空気量（低温時におけるファーストアイドリング空気量、暖機時におけるアイドリング空気量、暖機運転終了後及び常温時におけるアイドリング空気量）は、各スロットルボデーに設けられる同調空気通路から供給される第２空気と、単一の空気分配器から制御孔、分配路を介して供給される第１空気との合計された空気によって形成され、このとき、単一の空気分配器と各スロットルボデーとは分配路よりなる配管によって接続されるので、以下の点で効果的である。
すなわち、各スロットルボデーの取付けピッチが変更に成った際、単に分配路の長さを変更することによって対応ができ、取りつけレイアウト性が高い。
又、従来の如く、各スロットルボデーに対する操作レバー、リンクを必要としないので、部品点数、組みつけ工数を大きく低減でき、安価な吸気制御装置を提供できる。
そのうち特に従来の如く、各スロットルボデーにそれぞれ制御弁体及び制御孔を設ける必要がなくなったこと、及び操作レバー、リンクを必要としないことは、吸気制御装置をコンパクトにまとめるに好適である。
又、摺動部分を空気分配器に集約し、各スロットルボデーから摺動部分をなくしたことにより、摺動耐久テストは単一の空気分配器のみ実施すればよく、これによって開発効率を大きく向上できた。
又、特に常温状態におけるアイドリング空気は正確に供給される必要があり、このときアイドリング空気を分配路から供給される第１空気と同調空気通路から供給される第２空気とによって形成し、同調空気通路に配置した調整スクリューによって第２空気量を手動調整するようにしたので各スロットルボデーにおけるアイドリング空気を正確に同調制御できる。
更に単一の空気分配器と各スロットルボデーとは分配路をもって配管接続すればよいので各スロットルボデー間における取りつけの自由度、空気分配器の配置の自由度を大きく向上でき、特に二輪車の如く、取りつけスペースの限られる車輌において好ましい。
【図面の簡単な説明】
【図１】    本発明になる内燃機関における吸気制御装置の空気分配器の縦断面図。
【図２】    図１のＸ−Ｘ線における横断面図。
【図３】    本発明になる内燃機関における吸気制御装置の一実施例を示す縦断面図。
【図４】    従来の吸気制御装置を示す縦断面図。
【符号の説明】
４２      摺動弁室
４３Ａ，４３Ｂ，４３Ｃ    制御孔
４４      補助空気導入路
４５      制御弁体
４７      空気室
４８      調整杆
５０      スロットルボデー
５１      吸気通路
５２      同調空気通路
５３      調整スクリュー
Ａ        空気分配器
【図１】
0003925305.tif 000002
【図２】
0003925305.tif 000003
【図３】
0003925305.tif 000004
【図４】
0003925305.tif 000005